(57)【要約】      （修正有）【課題】魚介類採取具の爪の緩衝部材について、部品点数が少なく、構造も簡単な爪の提供。【解決手段】魚介類採取具の爪は、水底の土壌を掘り起こす弾性金属線材１と、魚介類採取具に取り付けて固定する固定部と、固定部に対して弾性金属線材１の動きを緩衝するように、弾性金属線材１を固定部に対して支持する緩衝部とを有し、緩衝部は板ばね２を含み、前記動きは板ばね２が緩衝し、板ばね２は、長手方向に、基部２ａと、基部２ａから延びて上面を内側にして曲がった屈曲部２ｂと、屈曲部２ｂから延び、基部２ａに対して間隙を挟んで対向する対向部２ｃとを含み、固定部は基部２ａに取り付けられ、弾性金属線材１は対向部２ｃに取り付けられている。【選択図】図１
2019187381.tif 000002
【特許請求の範囲】
【請求項１】
魚介類採取具の爪であって、
水底の土壌を掘り起こす弾性金属線材と、
魚介類採取具に取り付けて固定する固定部と、
前記固定部に対して前記弾性金属線材の動きを緩衝するように、前記弾性金属線材を前記固定部に対して支持する緩衝部とを含み、
前記緩衝部は板ばねを含み、前記動きは前記板ばねが緩衝する魚介類採取具の爪。
【請求項２】
前記板ばねは、長手方向に、基部と、基部から延びて一面を内側にして曲がった屈曲部と、前記屈曲部から延び、前記基部に対して間隙を挟んで対向する対向部とを含み、前記固定部は前記基部に取り付けられ、前記弾性金属線材は前記対向部に取り付けられた請求項１に記載の魚介類採取具の爪。
【請求項３】
前記弾性金属線材は、第１方向に延び、前記板ばねの対向部に取り付けられる基部と、延びる方向を第１方向から第２方向に転換させる屈曲部と、前記屈曲部から第２方向に延び、水底の土壌を掘り起こす作用部とを含む請求項２に記載の魚介類採取具の爪。
【請求項４】
前記板ばねは、前記弾性金属線材が第１方向から第２方向に向かう動き及びその逆に向かう動きを緩衝する請求項３に記載の魚介類採取具の爪。
【請求項５】
前記板ばねは、所定の厚さを有するばね鋼でなる請求項１から４のいずれかに記載の魚介類採取具の爪。
【発明の詳細な説明】
【技術分野】
【０００１】
本発明は、ホタテ貝等を採取する魚介類採取具の爪に関するものである。
【背景技術】
【０００２】
海底下３ｃｍ程の所に生息しているホタテ貝等を漁獲する道具として、八尺と呼ばれる大きな熊手状の漁具が古くから使われている。この八尺を海底に沿って引き摺ると、八尺の後方に並べて取り付けてある多数の爪が海底の砂に約１０ｃｍ程度食い込み、海底の砂の中に潜り込んでいるホタテ貝等を掻き起こして採取することができる（例えば引用文献１を参照）。
【０００３】
このときホタテ貝の貝殻は外部からの衝撃によって容易に割れてしまうため、ホタテ貝に爪が与える衝撃を和らげるように、爪は八尺の横棒に対して緩衝部材を介して取り付けられることがあった。従来の緩衝部材には、コイルばねが使われることがあった。引用文献１においては、緩衝部材として、爪の基端部に沿うように複数の板ばねが固定されている。
【先行技術文献】
【特許文献】
【０００４】
【特許文献１】実用新案登録第３０７５０７８号公報
【発明の概要】
【発明が解決しようとする課題】
【０００５】
しかしながら、コイルばねや複数の板ばねを使用した緩衝部材は、部品点数が多くなり、構造も複雑になっていた。
【０００６】
本発明は、上述の実情に鑑みて提案されるものであって、魚介類採取具の爪であって、部品点数が少なく、構造も簡単であるような緩衝部材を有するものを提供することを目的とする。
【課題を解決するための手段】
【０００７】
上述の課題を解決するために、この出願に係る魚介類採取具の爪は、水底の土壌を掘り起こす弾性金属線材と、魚介類採取具に取り付けて固定する固定部と、固定部に対して弾性金属線材の動きを緩衝するように、弾性金属線材を固定部に対して支持する緩衝部とを含み、緩衝部は板ばねを含み、前記動きは板ばねが緩衝する。
【０００８】
板ばねは、長手方向に、基部と、基部から延びて一面を内側にして曲がった屈曲部と、屈曲部から延び、基部に対して間隙を挟んで対向する対向部とを含み、固定部は基部に取り付けられ、弾性金属線材は対向部に取り付けられてもよい。
【０００９】
弾性金属線材は、第１方向に延び、板ばねの対向部に取り付けられる基部と、延びる方向を第１方向から第２方向に転換させる屈曲部と、屈曲部から第２方向に延び、水底の土壌を掘り起こす作用部とを含んでもよい。
【００１０】
板ばねは、弾性金属線材が第１方向から第２方向に向かう動き及びその逆に向かう動きを緩衝してもよい。板ばねは、所定の厚さを有するばね鋼でなってもよい。
【発明の効果】
【００１１】
本発明によると、部品点数が少なく、構造も簡単であるような緩衝部材を有する魚介類採取具の爪を提供することができる。
【図面の簡単な説明】
【００１２】
【図１】本実施の形態の魚介類採取具の爪の概略的な構造を示す正面図である。
【図２】本実施の形態の魚介類採取具の爪において固定部及び緩衝部を拡大して示す斜視図である。
【図３】本実施の形態の魚介類採取具の爪の固定部及び緩衝部の正面図である。
【図４】板ばねの三面図である。
【図５】本実施の形態の魚介類採取具の爪を八尺に取り付けた態様を示す斜視図である。
【発明を実施するための形態】
【００１３】
以下、本実施の形態の魚介類採取具の爪について、図面を参照して詳細に説明する。本実施の形態の魚介類採取具の爪は、八尺の横棒に取り付けて使用することを想定している。図１は、本実施の形態の魚介類採取具の爪の正面図である。図２は、魚介類採取具の爪において、固定部及び緩衝部を拡大して示した斜視図である。図３は、固定部及び斜視図の正面図である。
【００１４】
本実施の形態の魚介類採取具の爪は、図中において、海底の土壌を掘り起こすための弾性金属線材１を有している。弾性金属線材１は、水平方向から略上方に向かう第１方向に延びた基部１ａ、基部１ａの端部であって鉛直上向きに近づくように折れ曲がった端部１ｂ、延びる方向を第１方向から鉛直下向きの方向に近づけた第２方向に転換させる屈曲部１ｃ、及び屈曲部１ｃから第２方向に延び、土壌を掘り起こす作用部１ｄを有している。作用部１ｄは、所望の深さまで海底の土壌を掘り起こすことができるように、所定の長さが確保されている。弾性金属線材１は、所定の径を有する鋼材で構成されてもよい。
【００１５】
また、本実施の形態の魚介類採取具の爪は、八尺の横棒１００に取り付けて固定するための固定部を有している。固定部は、八尺の横棒１００を把持して固定する略直方体の形状を有する第１把持部材６及び第２把持部材７を有している。固定部において、八尺の横棒１００は、下側の第１把持部材６及び上側の第２把持部材７によって、それぞれの対向面に形成された溝で受けられて挟持され、スペーサ１１を介してボルト及びナット１５で第１把持部材６及び第２把持部材７を締結することによって把持するように固定されている。第１把持部材６及び第２把持部材７は、ステンレス鋼によって構成されてもよい。
【００１６】
さらに、本実施の形態の魚介類採取具の爪は、固定部に対する弾性金属線材１の動きを緩衝するように、弾性金属線材１を固定部に対して支持する緩衝部を有している。本実施の形態の緩衝部は、板ばね２によって構成されている。
【００１７】
図４は、板ばねの形状を示す三面図である。図２（ａ）は上面図であり、図２（ｂ）は正面図であり、図２（ｃ）は右側面図である。板ばねは、細長い略矩形状で所定厚さの弾性金属板を曲げて形成され、長手方向に沿って、一端から略水平方向に延びる基部２ａ、基部２ａから上面を内側にして所定の曲率で曲がった屈曲部２ｂ、屈曲部２ｂから略一端の方向に水平方向から略下向きに延び、所定の間隙を挟んで基部２ａに対向する対向部２ｃ、及び対向部２ｃから他端まで鉛直上向きの方向に近づくように折れ曲がった上端部２ｄを有している。基部２ａには、複数の貫通孔２ｆが形成されている。板ばね２は、所定の厚さを有するばね鋼で構成されてもよい。
【００１８】
本実施の形態の魚介類の採取具の爪において、板ばね２の基部２ａは、固定部に取り付けられている。固定部において、板ばね２の基部２ａは、上側の第１把持部材６及び下側の押え板５との間に挟持され、板ばね２の貫通孔２ｆを通ったボルト及びナット１５、１６で第１把持部材６及び押え板５を締結することによって固定されている。ここで、押え板５、第１把持部材６及び第２把持部材７は、ボルト及びナット１５によって共締めされている。押え板５は、ステンレス鋼によって構成されてもよい。
【００１９】
板ばね２の対向部２ｃは、弾性金属線材１の基部１ａに取り付けられている。弾性金属線材１の基部１ａは、それぞれ略直方体の形状を有する下側の第３把持部材９及び上側の第４把持部材１０によって、それぞれの対向面に形成された溝で受けられて挟持されている。板ばね２の対向部２ｃは、下側の押え板８及び上側の第３把持部材９によって挟持されている。このように押え板８、第３把持部材９及び第４把持部材１０の間にそれぞれ挟持された板ばね２の対向部２ｃ及び弾性金属線材１の基部１ａは、ボルト及びナット１７で押え板８、第３把持部材９及び第４把持部材１０を共締めすることによって固定されている。押え板８、第３把持部材９及び第４把持部材は、ステンレス鋼によって構成されてもよい。
【００２０】
板ばね２の上端部２ｄは、第３把持部材９及び第４把持部材１０の端面にそれぞれ対向して接し、第３把持部材９及び第４把持部材１０で挟持する板ばね２の対向部２ｃが、対向部２ｃの面内で回転することを防止している。弾性金属線材１の端部１ｂは、第４把持部材１０の貫通孔１０ｄを通って第４把持部材１０の上面に突出し、第１方向に延びる弾性金属線材１の基部１ａが第１方向に回転することを防止している。
【００２１】
本実施の形態の魚介類採取具の爪は、八尺の横棒に取り付けて魚介類を採取するときには、弾性金属線材１は作用部１ｄが水底の土壌を掘り起こす動作に従い、基部１ａが延びる第１方向と作用部１ｄが延びる第２方向を含む面内において、第１方向から第２方向に向かう方向又はその逆に第２方向から第１方向に向かう方向に揺動する。このとき、板ばね２においては、弾性金属線材１の基部１ａの動きに応じて、基部２ａと対向部２ｃとの間隙が変動するように、対向部２ｃが基部ａに対して離接方向に移動することによって、固定部に対する弾性金属線材１の動きを緩衝することができる。板ばね２が提供する緩衝の大きさについては、板ばね２の厚さや幅、材質によって所望の範囲に設定することができる。
【００２２】
本実施の形態の魚介類採取具の爪においては、緩衝部が板ばね２によって構成されているため、構造が簡単であり、部品点数も少ない。このため、修理や交換を容易に行うことができ、製造コストを低減することもできる。また、緩衝部の板ばねは、コイルばねと比較すると断面積が大きいため、強度を確保することができる。
【００２３】
なお、上述の実施の形態は一例を示すものであり、本発明はこのような実施の形態に限られない。例えば、板ばね２の形状は、図４に示したものに限られず、固定部に対する弾性金属線材１の動きを緩衝するように、弾性金属線材１を固定部に対して支持するものであれば自由な形状に設定することができる。この形状は、平面的であっても立体的であってもよい。
【００２４】
図５は、本実施の形態の魚介類採取具の爪を八尺に取り付けた態様を示す斜視図である。八尺２００の横棒１００には、複数の魚介類採取具の爪３０が櫛状に取り付けられている。八尺２００は引手１１０に取り付けられた図示しない引綱によって海底を引かれ、魚介類採取具の爪３０によって海底から掘り起こされたホタテ貝等の魚介類は網口１２０から袋状の網１３０に取り込まれる。
【産業上の利用可能性】
【００２５】
本発明は、水底の土壌を掘り起こして魚介類を採取する魚介類採取具の爪に使用することができる。
【符号の説明】
【００２６】
１  弾性金属線材
２  板ばね
６  第１把持部材
７  第２把持部材
９  第３把持部材
１０  第４把持部材
１００  八尺の横棒
２００  八尺
【図１】
2019187381.tif 000003
【図２】
2019187381.tif 000004
【図３】
2019187381.tif 000005
【図４】
2019187381.tif 000006
【図５】
2019187381.tif 000007
【手続補正書】
【提出日】令和1年6月18日(2019.6.18)
【手続補正１】
【補正対象書類名】特許請求の範囲
【補正対象項目名】全文
【補正方法】変更
【補正の内容】
【特許請求の範囲】
【請求項１】
魚介類採取具の爪であって、
水底の土壌を掘り起こす弾性金属線材と、
魚介類採取具に取り付けて固定する固定部と、
前記固定部に対して前記弾性金属線材の動きを緩衝するように、前記弾性金属線材を前記固定部に対して支持する緩衝部とを含み、
前記緩衝部は板ばねを含み、前記動きは前記板ばねが緩衝し、
前記板ばねは、長手方向に、基部と、基部から延びて一面を内側にして曲がった屈曲部と、前記屈曲部から延び、前記基部に対して間隙を挟んで対向する対向部とを含み、前記固定部は前記基部に取り付けられ、前記弾性金属線材は前記対向部に取り付けられ、
前記固定部は、第１押え板、第１把持部材及び第２把持部材を含み、前記第１押え板と前記第１把持部材とで前記板ばねの基部を挟持し、前記第１把持部材と前記第２把持部材とで前記魚介類採取具を挟持し、前記第１押え板、前記第１把持部材及び前記第２把持部材を共締めすることによって前記板ばねの基部と前記魚介類採取具とを固定し、
第２押え板、第３把持部材及び第４把持部材をさらに含み、前記第２押え板と前記第３把持部材とで前記板ばねの対向部を挟持し、前記第３把持部材と前記第４把持部材とで前記弾性金属線材を挟持し、前記第２押え板、前記第３把持部材及び前記第４把持部材を共締めすることによって前記板ばねの対向部と前記弾性金属線材とを固定する魚介類採取具の爪。
【請求項２】
前記弾性金属線材は、第１方向に延び、前記板ばねの対向部に取り付けられる基部と、延びる方向を第１方向から第２方向に転換させる屈曲部と、前記屈曲部から第２方向に延び、水底の土壌を掘り起こす作用部とを含む請求項１に記載の魚介類採取具の爪。
【請求項３】
前記板ばねは、前記弾性金属線材が第１方向から第２方向に向かう動き及びその逆に向かう動きを緩衝する請求項２に記載の魚介類採取具の爪。
【請求項４】
前記板ばねは、所定の厚さを有するばね鋼でなる請求項１から３のいずれか一項に記載の魚介類採取具の爪。